(57)【要約】【課題】  特に過度の電流が流れた時、過電流の回路への流れを自動的に遮断する電源スイッチ過電流保護装置を提供する。【解決手段】  本考案の電源スイッチ過電流保護装置は、係合し合う本体（１０）と２つの本体カバー（１１）、及び該２つの本体カバー（１１）に取り付けられる着脱可能な掛合部材（２０）を備え、  前記本体カバー（１１）にそれぞれ複数の掛合孔（１２）が形成され、前記２つの掛合部材（２０）に掛合孔（１２）と対応する掛合部（２１）が設けられると共に、該各掛合部材（２０）の上側にそれぞれ掛止部（２２）が設けられることを特徴とする。【選択図】  図２
0003127377.tif 000002
【実用新案登録請求の範囲】
【請求項１】
係合し合う本体と２つの本体カバー、及び該２つの本体カバーに取り付けられる着脱可能な掛合部材を備え、
前記本体カバーにそれぞれ複数の掛合孔が形成され、前記２つの掛合部材に掛合孔と対応する掛合部が設けられると共に、該各掛合部材の上側にそれぞれ掛止部が設けられることを特徴とする電源スイッチ過電流保護装置。
【請求項２】
前記２つの掛合部材における掛止部はそれぞれ外側に突き出た状態であることを特徴とする請求項１に記載の電源スイッチ過電流保護装置。
【請求項３】
前記各掛合部材にそれぞれ複数の柱体が設けられ、該各柱体はそれぞれ本体カバーの外側に位置することを特徴とする請求項１に記載の電源スイッチ過電流保護装置。
【考案の詳細な説明】
【技術分野】
【０００１】
本考案は、特に過度の電流が流れた時、過電流の回路への流れを自動的に遮断する電源スイッチ過電流保護装置に関するものである。
【背景技術】
【０００２】
過電流が機器内の回路に流れ込むことを防止するために、通常は回路配線上に、電源スイッチ過電流保護装置が設けられ、その大部分は、カバー体内に２つの導電プレートが設けられ、その内、一方の導電プレート上に熱膨張係数の異なる２つの合金プレートを連結し、該２つの合金プレートは、弾性プレートとして用いられると共に、他方の導電プレートと電気接続する構成を成す。
【０００３】
一般に、過電流が流れた時は、大きな熱エネルギーが発生し、２つの合金プレートを熱変形させようとするが、これら合金プレートの熱膨張係数は異なることから、一方の合金プレートのみ変形し、導電プレートから離間する。これにより、２つの導電プレートが非接触状態となり、電流の流れが遮断され、過電流の流れによる機器への影響を防止する。
【考案の開示】
【考案が解決しようとする課題】
【０００４】
しかしながら、前記従来の過電流保護装置では、その機能が発揮できるかどうかを、２つの合金プレートの動作感度により決定する構成であり、該２つの合金プレートは、スイッチを押圧することにより揺動し熱変形すると、その変形力はスイッチの抵抗力よりも必ず大きな力を持つので、他方の導電プレートが弾ける。若し前記スイッチの抵抗力の方が大きい場合は、２つの合金プレートの反応が遅くなり、或いは鈍くなり、瞬時に２つの合金プレートを離間させることができないので、過電流によるショートにより、製品に悪影響を及ぼす恐れがある。
【０００５】
また、図１０に示すように、従来の過電流保護装置は、掛合部材（図示せず）を有する本体（６０）と、掛合部材（７１）を有する本体カバー（７０）とからなる外枠を備える構成であるが、このような構成では、次に示すような欠点がある。
【０００６】
１．前記従来の過電流保護装置では、本体（６０）と本体カバー（７０）に必ず耐熱温度の高い材料が用いられるが、該耐熱特性を具備させると、掛合部材（７１）の弾性が弱まるので、パネルの孔に押し込んで固定する時、掛合部材（７１）が破損する恐れがある。
【０００７】
２．前記パネルは、一つのサイズのみであるので、使用範囲が狭く、実用性に優れない。
【課題を解決するための手段】
【０００８】
本考案の請求項１は、係合し合う本体と２つの本体カバー、及び該２つの本体カバーに取り付けられる着脱可能な掛合部材を備え、
前記本体カバーにそれぞれ複数の掛合孔が形成され、前記２つの掛合部材に掛合孔と対応する掛合部が設けられると共に、該各掛合部材の上側にそれぞれ掛止部が設けられることを特徴とする、電源スイッチ過電流保護装置を提供するものであり、
本考案の請求項２は、前記２つの掛合部材における掛止部は、それぞれ外側に突き出た状態であることを特徴とする、請求項１に記載の電源スイッチ過電流保護装置を提供するものであり、
本考案の請求項３は、前記各掛合部材にそれぞれ複数の柱体が設けられ、該各柱体はそれぞれ本体カバーの外側に位置することを特徴とする、請求項１に記載の電源スイッチ過電流保護装置を提供するものである。
【考案の効果】
【０００９】
本考案は上述したように、係合し合う本体と２つの本体カバー、及び該２つの本体カバーに取り付けられる着脱自在な掛合部材を備え、前記本体カバーにそれぞれ複数の掛合孔が形成され、前記２つの掛合部材に掛合孔と対応する掛合部が設けられると共に、該各掛合部材の上側にそれぞれ掛止部が設けられ、前記２つの掛合部材における掛止部はそれぞれ外側に突き出た状態であり、前記各掛合部材にそれぞれ複数の柱体が設けられ、該各柱体はそれぞれ本体カバーの外側に位置する構成を有し、更に、前記掛合部材は、弾性に優れた材料からなる本体及び本体カバーに使用される。
従って、従来のような、パネルの孔に押し込んで固定する時に、掛合部材が破損する恐れはないと共に、異なるサイズのパネルを、異なるサイズの掛合部材に取り付けられる設計であるので、使用範囲が広く、実用性に優れている。更に、本考案では、本体、本体カバー及び２つの掛合部材からなる外枠の構成により、掛合部材は、取り外し可能な掛合方式で本体と本体カバー上に固定されるので、組立てや分解がし易いといったメリットがある。
【考案を実施するための最良の形態】
【００１０】
以下、添付図面を参照して、本考案の好適な実施の形態を詳細に説明する。
【実施例】
【００１１】
図１は本考案に係る電源スイッチ過電流保護装置の第１実施例の斜視図であり、図２は本考案に係る電源スイッチ過電流保護装置の第１実施例の分解斜視図であり、図３は本考案に係る電源スイッチ過電流保護装置の第１実施例の使用状態を示す側面断面図であり、図４は本考案に係る電源スイッチ過電流保護装置の第２実施例の斜視図であり、図５は本考案に係る電源スイッチ過電流保護装置の第２実施例の分解斜視図であり、図６は本考案に係る電源スイッチ過電流保護装置の第２実施例の使用状態を示す側面断面図であり、図７は本考案に係る電源スイッチ過電流保護装置の第３実施例の斜視図であり、図８は本考案に係る電源スイッチ過電流保護装置の第１実施例の分解斜視図であり、図９は本考案に係る電源スイッチ過電流保護装置の第３実施例の使用状態を示す側面断面図である。
図１及び図２の実施例１に示すように、本考案の電源スイッチ過電流保護装置は、係合し合う本体（１０）と２つの本体カバー（１１）、及び該２つの本体カバー（１１）に取り付けられるT字形の掛合部材（２０）を備え、該本体カバー（１１）にそれぞれ複数の掛合孔（１２）が形成され、該２つの対応し合う掛合部材（２０）は、弾性が本体（１０）及び本体カバー（１１）より優れる材料からなり、該２つの掛合部材（２０）に掛合孔（１２）と対応する掛合部（２１）が設けられると共に、該各掛合部材（２０）の上側にそれぞれへ字形の掛止部（２２）が設けられる。
図３に示すように、前記実施例１を使用する時は、本考案を肉厚のパネル（３０）の孔（３１）に嵌め込み、前記掛止部（２２）によりパネル（３０）の下端を固定する。
図４及び図５に示す第２実施例の構造は、前記図１及び図２の第１実施例とほぼ同じであるが、対応する２つの掛合部材（２０A）における掛止部（２２）が外側へより突き出た状態である点において異なる。また、図６に示すように、前記本考案の第２実施例を使用する時は、対応する２つの掛合部材（２０A）を大径孔（３２）を有するパネル（３０A）に掛止して使用する。
図７及び図８に示す第３実施例の構造は、前記図１及び図２の第１実施例とほぼ同じであるが、各掛合部材（２０B）にそれぞれ複数の柱体（２３）が設けられ、該各柱体（２３）がそれぞれ本体カバー（１１）の外側に位置する点において異なる。
図９に示すように、前記実施例３を使用する時は、本考案を肉薄のパネル（３０B）の孔（３１）に嵌め込んで使用する。
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１２】
【図１】本考案に係る電源スイッチ過電流保護装置の第１実施例の斜視図である。
【図２】本考案に係る電源スイッチ過電流保護装置の第１実施例の分解斜視図である。
【図３】本考案に係る電源スイッチ過電流保護装置の第１実施例の使用状態を示す側面断面図である。
【図４】本考案に係る電源スイッチ過電流保護装置の第２実施例の斜視図である。
【図５】本考案に係る電源スイッチ過電流保護装置の第２実施例の分解斜視図である。
【図６】本考案に係る電源スイッチ過電流保護装置の第２実施例の使用状態を示す側面断面図である。
【図７】本考案に係る電源スイッチ過電流保護装置の第３実施例の斜視図である。
【図８】本考案に係る電源スイッチ過電流保護装置の第１実施例の分解斜視図である。
【図９】本考案に係る電源スイッチ過電流保護装置の第３実施例の使用状態を示す側面断面図である。
【図１０】従来の過電流保護装置の斜視図である。
【符号の説明】
【００１３】
１０  本体
１１  本体カバー
１２  掛合孔
２０  掛合部材
２０A  掛合部材
２０B  掛合部材
２１  掛合部
２２  掛止部
２３  柱部
３０  パネル
３０A  パネル
３０B  パネル
３１  孔
３２  大径孔
６０  本体
７０  本体カバー
７１  掛合部材
【図１】
0003127377.tif 000003
【図２】
0003127377.tif 000004
【図３】
0003127377.tif 000005
【図４】
0003127377.tif 000006
【図５】
0003127377.tif 000007
【図６】
0003127377.tif 000008
【図７】
0003127377.tif 000009
【図８】
0003127377.tif 000010
【図９】
0003127377.tif 000011
【図１０】
0003127377.tif 000012